(57)【要約】【課題】ゴルフボールをしっかりと安定した状態で支持でき、かつ支持高さも一定にできるゴルフティを提供する。【解決手段】地中に差し込む基部１２、柔軟性のある芯材１８及び本体２６の３部品から構成されている。芯材１８は、一端に基部１２上端に着脱自在に嵌り合う連結部１４を有し、他端に拡径部１６を有している。本体２６は、芯材１８の拡径部１６を包囲して、この拡径部１６を長手方向にスライド可能に収容する筒型中間部２０と、この筒型中間部２０の基部１２側に設けられ基部１２上端に対して自在継ぎ手を形成する連結部２２と、筒型中間部２０の基部１２の反対側に設けられ、ゴルフポールを支持する受皿部２４とをそれぞれ備えている。本体２６と基部１２とが自在継ぎ手により連結され、本体２６の向きを自由に変えられるようにされている。【選択図】図１
0003105468.tif 000002
【実用新案登録請求の範囲】
【請求項１】
地中に差し込む基部と、
一端に前記基部上端に着脱自在に嵌り合う連結部を有し、他端に拡径部を有する、柔軟性のある芯材と、
前記芯材の拡径部を包囲して、この拡径部を長手方向にスライド可能に収容する筒型中間部、この筒型中間部の前記基部側に設けられ前記基部上端に対して自在継ぎ手を形成する連結部、前記筒型中間部の前記基部の反対側に設けられ、ゴルフポールを支持する受皿部をそれぞれ備えた本体とからなることを特徴とするゴルフティ。
【請求項２】
請求項１記載のゴルフティにおいて、
前記芯材は、本体の軸心に設けられた挿入孔に所定の間隙を保持して緩く嵌め込まれていることを特徴とするゴルフティ。
【請求項３】
請求項１又は２に記載のゴルフティにおいて、
前記基部の上端と前記芯材の連結部とが自在継ぎ手を形成していることを特徴とするゴルフティ。
【請求項４】
請求項１ないし３のいずれかに記載のゴルフティにおいて、
前記芯材の拡径部が前記本体の筒型中間部に収容され、この筒型中間部の長さにより前記基部に対する前記本体の相対的な移動量を規制していることを特徴とするゴルフティ。
【請求項５】
請求項１ないし４のいずれかに記載のゴルフティにおいて、
前記芯材は着色されており、前記本体は透明な材料で形成されていることを特徴とするゴルフティ。
【考案の詳細な説明】
【技術分野】
【０００１】
本考案は、ゴルフボールをティショットする際に使用されるゴルフティに関する。
【背景技術】
【０００２】
一般に、ゴルフボールをドライブシヨットする際には、ゴルフボールを載置するゴルフティが使用される。この種のゴルフティは、プラスチック等の硬質な材質で形成されており、状況に応じて適当な高さのものが選択使用される。ゴルフティは、硬質な材質で形成されているため、ゴルフグラブでゴルフボールを打った瞬間、グラブヘッドから衝撃を受けると、これにより折れたり遠くへ跳ね飛ばされて紛失することもある。プラスチック製のティが遠くに跳ね飛ばされて紛失したり、あるいは破損したりすることにより、ティがゴミとなり、環境汚染の原因ともなる。
そこで、従来、地面に差し込む下部とゴルフボールを載せる上部とを分離した構造のゴルフティが案出されている（特許文献１、特許文献２参照）。このようなゴルフティを使用すると、ゴルフグラブによるゴルフボールの打撃と同時に、ゴルフティの上部が折曲して、打撃時の衝撃による破損を防止でき、ゴルフボールの進路への影響を小さくできる。
【特許文献１】特開２００３−２７５３５６号公報
【特許文献２】特開２００２−６５９１７号公報
【考案の開示】
【考案が解決しようとする課題】
【０００３】
ところで、上記の技術には、次のような解決すべき課題があった。
ゴルフティ上部が柔軟なものは、ティショット時のゴルフボールの支持が不安定になる。また、支持高さも安定しない。このため、意図する方向にゴルフボールを飛ばすことができないし、軽快な打撃がなされないという懸念がある。
【０００４】
そこで、本考案は、以上のような従来の問題点を解消するためになされたもので、ゴルフボールをしっかりと安定した状態で支持でき、かつ支持高さも一定にできるゴルフティを提供することを目的とする。
また、本考案の他の目的は、ゴルフボールの打撃に、跳ね飛ばされたり破損してしまうことを防止できるゴルフティを提供することである。
【課題を解決するための手段】
【０００５】
本考案の各実施例においては、それぞれ次のような構成により上記の課題を解決する。
〈構成１〉
地中に差し込む基部と、一端に上記基部上端に着脱自在に嵌り合う連結部を有し、他端に拡径部を有する、柔軟性のある芯材と、上記芯材の拡径部を包囲して、この拡径部を長手方向にスライド可能に収容する筒型中間部、この筒型中間部の上記基部側に設けられ上記基部上端に対して自在継ぎ手を形成する連結部、上記筒型中間部の上記基部の反対側に設けられ、ゴルフポールを支持する受皿部をそれぞれ備えた本体とからなることを特徴とするゴルフティ。
【０００６】
基部、芯材及び本体の３部品から構成されている。基部は、硬質材料により下端が先細の円錐状に形成されている。芯材は、ティショット等の打撃時に本体から基部に伝達される衝撃を緩和して、基部が地中から抜け出るのを防止するものである。本体は、基部の上端に自在継ぎ手により連結されている。本体の向きが自由に変えることができるので、方向性が無く、基部を地中に差し込んだ後でも、本体の向きを最適な方向に向けて調整できる。従って、理想的なティセッティングができる。本体と基部とは芯材を介さずに直接連結されるので、柔軟性のある芯材に拘わりなく、ゴルフボールをしっかりと安定した状態で支持でき、かつ支持高さも一定にできる。本体は基部の上端に着脱自在に嵌り合うから、打撃時に本体が基部から離脱して基部に加わる引き抜き力を緩和する。本体の受皿部の構造は任意である。
【０００７】
〈構成２〉
構成１記載のゴルフティにおいて、上記芯材は、本体の軸心に設けられた挿入孔に所定の間隙を保持して緩く嵌め込まれていることを特徴とするゴルフティ。
【０００８】
打撃時に本体を圧潰するような力が加わるが、間隙によって芯材に伝達される衝撃を緩和する。また、打撃時に本体には基部から離れる方向に力が加わるが、本体が芯材に緩く嵌め込まれているので、本体から芯材を通じて基部に引き抜き力が加わるのを防止できる。芯材の拡径部の形状と本体の筒形状との関係で芯材と本体を連結すると、本体は全体を筒形に成形できるから、構造が簡単で製造も容易である。
【０００９】
〈構成３〉
構成１又は２に記載のゴルフティにおいて、上記基部の上端と上記芯材の連結部とが自在継ぎ手を形成していることを特徴とするゴルフティ。
【００１０】
本体と基部とが自在継ぎ手により連結されると共に、芯材も同様に基部に自在継ぎ手によって連結され、本体、芯材及び基部が一体になって、ティセッティンクができる。
自在継ぎ手は基部の頭を頂点とする円錐状の空間内で自由に向きを変えることができるので、方向性が無く、基部を地中に差し込んだ後でも、本体の向きを最適な方向に向けて自在に調整できる。従って、理想的なティセッティングができる。
【００１１】
〈構成４〉
構成１ないし３のいずれかに記載のゴルフティにおいて、上記芯材の拡径部が上記本体の筒型中間部に収容され、この筒型中間部の長さにより上記基部に対する上記本体の相対的な移動量を規制していることを特徴とするゴルフティ。
【００１２】
芯材は、打撃時に本体が基部から離れて飛んで行くのを防止する。本体は、筒型中間部の長さだけスライドして移動できる。筒型中間部の長さは衝撃緩和の十分な長さに選定される。
【００１３】
〈構成５〉
請求項１ないし４のいずれかに記載のゴルフティにおいて、
上記芯材は着色されており、上記本体は透明な材料で形成されていることを特徴とするゴルフティ。
【００１４】
例えば、芯材を黄系や赤系等のカラフルな色彩に着色することにより、芯材が透明な本体を透して鮮やかに見えるので、ティの紛失防止に役立つと共に使用時の快適感が得られる。
【考案を実施するための最良の形態】
【００１５】
以下、本考案の実施の形態を実施例ごとに詳細に説明する。
【実施例１】
【００１６】
図１は実施例１のゴルフティを示す斜視図、図２は同ゴルフティの分解斜視図、図３は同ゴルフティの断面図、図４は同ゴルフティの動作形態を示す説明図である。
図において、実施例１のゴルフティは、地中に差し込む基部１２と、柔軟性のある芯材１８と、ゴルフポールを支持する受皿部２４を備えた本体２６の３部品から構成されている。
【００１７】
基部１２は、硬質材料からなり、下端に向って先細に形成され、上端１３に球状の空洞が設けられ、その外面も球状に形成されている。上端１３近傍に、軸方向と直交する貫通孔３２が設けられている。この貫通孔３２は紐あるいは糸を通すための孔であり、例えばティショット時に貫通孔３２に通した紐の他端を地面等に固定しておくことにより、ティショットで飛び出したティの紛失を防止できる。しかし、本考案のゴルフティは打撃時の飛び出しが殆ど防止されるため、貫通孔３２を必要としない場合が多い。
【００１８】
芯材１８は、打撃時に本体２６が基部１２から離れて飛んで行くのを防止するもので、一端に基部１２上端に着脱自在に嵌り合う連結部１４を有し、他端に拡径部１６を有している。連結部１４は球状をなし、基部１２の上端１３の空洞内に嵌合されて基部１２との間で自在継ぎ手を構成している。芯材１８の拡径部１６は端面が平坦な釘頭状をなしている。芯材１８は、ゴム状弾性を有するプラスチックあるいはゴムからなり、全体的に柔軟性があり、かつゴルフクラブによる打撃に十分耐えうる機械的強度を有している。
【００１９】
本体２６は、芯材１８の拡径部１６を包囲して、この拡径部１６を長手方向にスライド可能に収容する筒型中間部２０と、この筒型中間部２０の基部１２側に設けられ基部１２上端に対して自在継ぎ手を形成する連結部２２と、筒型中間部２０の基部１２の反対側に設けられ、ゴルフポールを支持する受皿部２４とをそれぞれ備えている。連結部２２は、球状をなす基部の上端１３に嵌合されて自在継ぎ手を構成しており、かつ基部の上端１３に対しては挿脱自在にされている。
【００２０】
芯材１８の拡径部１６は本体２６の筒型中間部２０に収容され、この筒型中間部２０の長さにより基部１２に対する本体２６の相対的な移動量を規制している。すなわち、筒型中間部２０の長さだけ本体２６をスライドして移動できる。筒型中間部２０の長さは衝撃緩和の十分な長さに選定される。
【００２１】
芯材１８は、本体２６の軸心に設けられた挿入孔３０に所定の間隙を保持して緩く嵌め込まれている。このため、打撃時に本体２６を圧潰するような力が加わるが、挿入孔３０の間隙によって芯材１８に伝達される衝撃が緩和される。また、打撃時に本体２６には基部１２から離れる方向に力が加わるが、本体２６が芯材１８に緩く嵌め込まれているので、本体２６から芯材１８を通じて基部１２に引き抜き力が加わるのが防止される。本体２６の、筒型中間部２０と連結部２２との間は、くびれた形状とされている。このくびれた部分により芯材１８の拡径部１６が筒型中間部２０から離脱しないように止められている。
【００２２】
受皿部２４は、ゴルフボールをより安定した状態で載置するために、周囲に、上方に伸びる複数の指状の突出部２５が設けられている。複数の突出部２５は柔軟性があり、ゴルフボールが載置されたとき、その重量を受けて外側に軽く撓み、ゴルフボールを安定状態で支える。
芯材１８及び本体２６は、ゴルフクラブによる直撃に耐えうる耐衝撃性とゴム状弾性を有する材料、例えばポリウレタンのような合成ゴムにより形成されている。
【００２３】
実施例１のゴルフティは、基部１２、芯材１８及び本体２６を適宜着色することにより、カラフルで目立つようにすることができる。例えば、基部１２を黒色、本体２６を透明とし、芯材１８を黄系や赤系に着色すれば、芯材１８の色彩が透明な本体２６を透して鮮やかに見えるので、ティの紛失防止だけでなく使用時の快適感も得られる。
【００２４】
本考案のゴルフティは、本体２６と基部１２とが自在継ぎ手により連結され、本体２６の向きを自由に変えることができるので、方向性が無く、基部１２を地中に差し込んだ後でも、本体２６の向きを最適な方向に向けて調整できる。また、本体２６と基部１２とは芯材１８を介さずに直接連結されるので、柔軟性のある芯材１８に拘わりなく、ゴルフボールをしっかりと安定した状態で支持でき、かつ支持高さも一定にできる。
【図面の簡単な説明】
【００２５】
【図１】実施例１のゴルフティを示す斜視図である。
【図２】同ゴルフティの分解斜視図である。
【図３】同ゴルフティの断面図である。
【図４】同ゴルフティの動作形態を示す説明図である。
【符号の説明】
【００２６】
１２  基部
１３  基部上端
１４  連結部
１６  拡径部
１８  芯材
２０  筒型中間部
２２  連結部
２４  受皿部
２５  突出部
２６  本体
３０  挿入孔
【図１】
0003105468.tif 000003
【図２】
0003105468.tif 000004
【図３】
0003105468.tif 000005
【図４】
0003105468.tif 000006